(57)【特許請求の範囲】
【請求項１】
カメラ筐体の前方に開閉自在に設けたレンズカバーと、
前記レンズカバーを閉じ方向に付勢する付勢手段と、
前記カメラ筐体内で前記レンズカバーより後方に設けられ、被写体を撮影する撮像レンズと、
前記カメラ筐体に引き出し自在に取り付けられ、不使用時に前記カメラ筐体側に収納させる一方、使用時に前記カメラ筐体より突出させて被写体像を光学的に表示するビューファインダと、
前記カメラ筐体に開閉自在に取り付けられ、不使用時に閉じた状態で外装面側を露出さる一方、使用時に該外装面と反対側の液晶パネル面側を開いて被写体像を電子的に表示する液晶パネルと、
前記ビューファインダを前記カメラ筐体より突出させる動作、もしくは、前記液晶パネルを開く動作の少なくとも一方の動作に連動して、前記レンズカバーを前記付勢手段に抗して開く一方、前記ビューファインダ及び前記液晶パネルが共に不使用の時に前記レンズカバーを閉じるレンズカバー開閉機構部とを備えたことを特徴とするビデオカメラのレンズカバー開閉機構。
【請求項２】
請求項１記載のビデオカメラのレンズカバー開閉機構において、
前記レンズカバー開閉機構部は、前記ビューファインダの引き出し動作と連動して変位する第１変位手段と、前記液晶パネルの開閉動作と連動して変位する第２変位手段と、前記レンズカバーと常時係合し、且つ、前記第１変位手段もしくは前記第２変位手段の少なくとも一方と係合して前記レンズカバーを開閉するレンズカバー・開閉リンク手段とで構成したことを特徴とするビデオカメラのレンズカバー開閉機構。
【発明の詳細な説明】
【０００１】
【発明の属する技術分野】
本発明は、ビデオカメラのレンズカバー開閉機構に関するものである。
【０００２】
【従来の技術】
一般的なビデオカメラは、不使用時に撮像レンズの前方に設けたレンズカバーにより撮像レンズを被覆して保護している。このレンズカバーの開閉を自動的に行なうレンズカバー開閉機構は各種の構造形態があるものの、本出願人は特開平８−１７２５５９号公報に開示したようにビューファインダの引き出し動作と連動させたものを提案している。
【０００３】
即ち、上記特開平８−１７２５５９号公報では、撮像レンズの前方に設けたレンズカバーをビューファインダの引き出し動作と連動させて、ビデオカメラの不使用時で且つビューファインダがレンズ鏡筒部側の収納位置に至った時に撮像レンズを被覆するようにレンズカバーを閉じる一方、ビデオカメラの使用時で且つビューファインダがレンズ鏡筒部から後方に突出した引出位置に至った時に撮像レンズを露出するようにレンズカバーを開いている。
【０００４】
【発明が解決しようとする課題】
ところで、最近のビデオカメラでは、被写体像を光学的に表示するビューファインダの他に、被写体像を電子的に表示する液晶パネルが設けられている。そして、ビデオカメラで被写体を撮影する時に、ビューファインダで被写体像を覗いたり、液晶パネルで被写体像を覗いている。
尚、液晶パネルは、ビデオカメラと一体なＶＴＲで被写体像を磁気テープに記録した際、記録済みの被写体像を見ることもできるようになっている。
【０００５】
そこで、光学的なビューファインダを用いて撮影する時、あるいは、電子的な液晶パネルを用いて撮影する時でも、レンズカバーを自動的に開くことができる構造形態を備えたレンズカバーの開閉機構が要求されている。
【０００６】
【課題を解決するための手段】
本発明は上記課題に鑑みてなされたものであり、
また、上記発明のビデオカメラのレンズカバー開閉機構において、カメラ筐体の前方に開閉自在に設けたレンズカバーと、
前記レンズカバーを閉じ方向に付勢する付勢手段と、
前記カメラ筐体内で前記レンズカバーより後方に設けられ、被写体を撮影する撮像レンズと、
前記カメラ筐体に引き出し自在に取り付けられ、不使用時に前記カメラ筐体側に収納させる一方、使用時に前記カメラ筐体より突出させて被写体像を光学的に表示するビューファインダと、
前記カメラ筐体に開閉自在に取り付けられ、不使用時に閉じた状態で外装面側を露出さる一方、使用時に該外装面と反対側の液晶パネル面側を開いて被写体像を電子的に表示する液晶パネルと、
前記ビューファインダを前記カメラ筐体より突出させる動作、もしくは、前記液晶パネルを開く動作の少なくとも一方の動作に連動して、前記レンズカバーを前記付勢手段に抗して開く一方、前記ビューファインダ及び前記液晶パネルが共に不使用の時に前記レンズカバーを閉じるレンズカバー開閉機構部とを備えたことを特徴とするビデオカメラのレンズカバー開閉機構である。
【０００７】
また、上記発明のビデオカメラのレンズカバー開閉機構において、
前記レンズカバー開閉機構部は、前記ビューファインダの引き出し動作と連動して変位する第１変位手段と、前記液晶パネルの開閉動作と連動して変位する第２変位手段と、前記レンズカバーと常時係合し、且つ、前記第１変位手段もしくは前記第２変位手段の少なくとも一方と係合して前記レンズカバーを開閉するレンズカバー・開閉リンク手段とで構成したことを特徴とするビデオカメラのレンズカバー開閉機構である。
【０００８】
【発明の実施の形態】
以下に本発明に係わるビデオカメラのレンズカバー開閉機構の一実施例を図１乃至図７を参照して詳細に説明する。
【０００９】
図１は本発明に係わるビデオカメラのレンズカバー開閉機構を採用したビデオカメラの外観を示した斜視図であり、（Ａ）はビューファインダを引き出した状態を示し、（Ｂ）は液晶パネルを開いた状態を示した図、
図２は本発明に係わるビデオカメラのレンズカバー開閉機構を一部分解して示した分解斜視図、
図３は本発明に係わるビデオカメラのレンズカバー開閉機構において、ビューファインダをカメラ筐体側に収納し、且つ、液晶パネルを閉じた初期状態を説明するための図、
図４は本発明に係わるビデオカメラのレンズカバー開閉機構において、ビューファインダをカメラ筐体より後方に突出させた状態を説明するための図、
図５は本発明に係わるビデオカメラのレンズカバー開閉機構において、液晶パネルを開いた状態を説明するための図、
図６は本発明に係わるビデオカメラのレンズカバー開閉機構において、液晶パネルをの開閉状態を説明するための図であり、（Ａ），（Ｂ）は液晶パネルを閉じた状態を示した正面図，下面図、（Ｃ）は液晶パネルの開蓋途中状態を示した下面図、
図７は本発明に係わるビデオカメラのレンズカバー開閉機構において、液晶パネルを開蓋した後、液晶パネル面を露出させた状態で液晶パネルを閉蓋した状態を説明するための図であり、（Ａ）は正面図，（Ｂ）は下面図である。
【００１０】
図１に示した如く、本発明に係わるビデオカメラのレンズカバー開閉機構を採用したビデオカメラ１は、ディジタル記録再生可能なＶＴＲ（図示せず）を一体に内蔵して小型軽量に構成されている。
【００１１】
このビデオカメラ１は、周囲を外装カバー２で覆われており、この外装カバー２の内部にカメラ筐体３が設けられている。
また、カメラ筐体３の前方部位となる前面３ａには、レンズカバー４を開閉自在に支持したフレームカバー５（図３乃至図５）が取り付けられている。
更に、カメラ筐体３内でレンズカバー４より後方には、被写体を撮影する撮像レンズ６が設けられている。
そして、ビデオカメラ１の不使用時には、レンズカバー４を閉蓋してこのレンズカバー４で撮像レンズ６を保護する一方、ビデオカメラ１の使用時にはレンズカバー４を開蓋して被写体を撮影できるように撮像レンズ６を露出させている。
【００１２】
また、カメラ筐体３の上方部位には、ビューファインダ１０が矢印Ｘ方向（左右方向，前後方向）に引き出し自在に取り付けられている。
上記ビューファインダ１０は、不使用時にカメラ筐体３側に収納させた収納位置と、使用時にカメラ筐体３より後方に突出させた引出位置との間を往復動している。そして、ビューファインダ１０を引き出した時には、図示しないレンズを介して被写体像を光学的に表示している。
【００１３】
更に、カメラ筐体３の図示手前側の側面３ｂ側には、液晶パネル４０がヒンジ４１により開閉自在に取り付けられている。
上記液晶パネル４０は、ビデオカメラ１の不使用時に閉じた状態で外装面４０ａ側を露出さており、且つ、外装面４０ａと反対側の液晶パネル面４０ｂ側をカメラ筐体３側に向けて液晶パネル面４０ｂを保護している。
一方、ビデオカメラ１の使用時に液晶パネル４０の液晶パネル面４０ｂ側を開いて、図示しない撮像素子からの被写体像を電子的に表示している。
この際、図１（Ｂ）に示したように、液晶パネル４０は、ヒンジ４１の軸４１ａ（図２）を中心に図示手前側に略９０゜まで開蓋でき、更に、ヒンジ４１の軸４１ａに対して略直角に取り付けた回転軸４２を中心に時計方向及び反時計方向に１回転できるようになっている。
【００１４】
次に、本発明の要部となるレンズカバー開閉機構部について図２を用いて説明する。
【００１５】
図２に示した如く、カメラ筐体３の前面３ａの上方部位に撮像レンズ６が嵌め込まれており、この撮像レンズ６より下方部位にフレームカバー５（図３乃至図５）に設けたレンズカバー４が捩じりバネ７によって閉じ方向に付勢されながら軸８を中心に開閉自在に支持されている。この際、捩じりバネ７は一端側をレンズカバー４に掛止させ、他端側をカメラ筐体３の前方に取り付けたフレームカバー５（図３乃至図５）に係止させている。
【００１６】
また、カメラ筐体３の側面３ｂの上方部位に引き出し自在に設けたビューファインダ１０は箱状に形成されており、このビューファインダ１０の図示手前側の側面１０ａで前方部位の略中央に切り欠き１０ａ１が形成されている。この際、切り欠き１０ａ１は後述のベース板１６をカメラ筐体３の側面３ｂに取り付けた時に取り付けネジを逃げるために形成したものである。
【００１７】
また、ビューファインダ１０に形成した切り欠き１０ａ１を挾んで上下に２本のガイドピン１１，１２が低い高さで内側に固着されている。そして、下側のガイドピン１２がカメラ筐体３の側面３ｂに低い高さで突出形成した上下２本のガイドリブ３ｂ１，３ｂ２間にガイドされることにより、ビューファインダ１０がカメラ筐体３側に収納させた収納位置（二点鎖線位置）と、カメラ筐体３より後方に突出させた引出位置（実線位置）との間を矢印Ｘ方向に摺動している。
【００１８】
また、カメラ筐体３の側面３ｂで上側のガイドリブ３ｂ１より更に上方に凹形のガイドリブ３ｂ３が低い高さで突出形成されている。
【００１９】
また、カメラ筐体３の側面３ｂに形成したガイドリブ３ｂ１とガイドリブ３ｂ３との間で側面３ｂの長手方向の中間部位には、逆へ字状の第１レバー１３が軸１４を中心に回動自在に設けられている。
【００２０】
上記第１レバー１３の一端側は、ビューファインダ１０の切り欠き１０ａ１を臨んでいると共に、第１レバー１３の一端側から他端側に沿ってビューファインダ１０の内側に固着したピン１１が摺接する摺接面１３ａが略逆へ字状に形成されている。一方、第１レバー１３の他端側には、ピン１５が図示手前側に向かって低い高さで固着されている。
【００２１】
また、カメラ筐体３の側面３ｂの前方部位でレンズカバー４を支持する軸８に接近した部位には、レンズカバー開閉機構部の基台となるベース板１６が取り付けられている。このベース板１６の上方部位には、第２レバー１７が軸１８を中心に回動自在に設けられている。
【００２２】
上記第２レバー１７の一端側にはＵ字溝１７ａが形成されており、このＵ字溝１７ａ内に第１レバー１３の他端側に固着したピン１５が係合している。また、第２レバー１７の他端側にはピン１９が固着されている。
【００２３】
そして、ビューファインダ１０の引き出し動作に伴って、ビューファインダ１０の内側に固着したピン１１が第１レバー１３の摺接面１３ａを摺接することにより、第１レバー１３とこの第１レバー１３に係合した第２レバー１７が回動して位置変位するので、第２レバー１７の他端側に固着したピン１９が後述する第１スライド板２０の当接面２０ａに接離するようになっている。
【００２４】
また、ベース板１６の前方部位で第２レバー１７の下方には、第１スライド板２０が矢印Ｙ方向（上下方向）に摺動自在に設けられている。この第１スライド板２０の裏面には２本のガイドピン２１，２１が上下に固着されており、これらのガイドピン２１，２１がベース板１６に穿設したガイド孔１６ａ，１６ａに係合することにより、第１スライド板２０が上下に摺動できるようになっている。
【００２５】
また、第１スライド板２０の上方部位には、第２レバー１７の他端側に固着したピン１９が当接する当接面２０ａが略直線状に形成されており、ピン１９が当接面２０ａに当接して、第１，第２レバー１３，１７の回動によるピン１９の下方への位置変位で第１スライド板２０を下方に押し下げている。
【００２６】
また、第１スライド板２０の中間部位には凹状の切り欠き２０ｂが形成されており、この切り欠き２０ｂに後述する第２スライド板２５が臨むための逃げである。
更に、第１スライド板２０の前方部位には、カメラ筐体３の前面３ａ側に向かって折曲片２０ｃが折り曲げ形成されており、この折曲片２０ｃに形成したＵ字溝２０ｃ１にレンズカバー４の裏面に形成したボス４ａが常時係合している。
【００２７】
そして、レンズカバー４が捩じりバネ７の付勢力によって軸８を中心に時計方向に回動して閉蓋している時には、第１スライド板２０が上方に移動している。一方、第１スライド板２０を捩じりバネ７の付勢力に抗して下方に押し下げると、レンズカバー４が軸８を中心に反時計方向に回動して開蓋するようになっている。
【００２８】
また、ベース板１６の上方部位で第２レバー１７の下方には、へ字状の第３レバー２２が軸２３を中心に回動自在に設けられている。
この第３レバー２２は、液晶パネル４０の開蓋動作に伴って摺動する後述の第２スライド板２５に押されて回動し、第１スライド板２０を下方に押し下げる機能を備えている。
【００２９】
即ち、第３レバー２２の一端側には折曲片２２ａが図示手前に向かって折り曲げ形成されており、この折曲片２２ａは後述する第２スライド板２５の第２折曲片２５ｃに接離自在になっている。また、第３レバー２２の他端側には楕円孔２２ｂが穿接されており、この楕円孔２３ｂ内に第１スライド板２０の上方部位に固着したピン２４が係合している。
【００３０】
また、ベース板１６の中間部位で第３レバー２２の下方には、第２スライド板２５が矢印Ｘ方向（左右方向，前後方向）に摺動自在に設けられている。この第２スライド板２５は、この上面に穿設した楕円状のガイド孔２５ａにベース板１６に固着したガイドピン２６が係合し、且つ、裏面に固着したガイドピン２７がベース板１６に穿設した楕円状のガイド孔１６ｂに係合することにより、第２スライド板２５が引張バネ２８に付勢されながら左右（前後）に摺動できるようになっている。この際、引張バネ２８は第２スライド板２５を前方（図示左方）に付勢している。
【００３１】
また、第２スライド板２５の前後端（左右端）には、互いに対向して第１，第２折曲片２５ｂ，２５ｃが図示手前に向かって折り曲げ形成されている。前方の第１折曲片２５ｂには、液晶パネル４０を開閉自在に支持するヒンジ４１に突出形成した突出部４１ｂが接離自在になっており、後方の第２折曲片２５ｃには、前記した第３レバー２２の一端側に形成した折曲片２２ａが接離自在になっている。
【００３２】
そして、液晶パネル４０がヒンジ４１の軸４１ａを中心に時計方向に回動して開蓋すると、ヒンジ４１に突出形成した突出部４１ｂが第２スライド板２５の第１折曲片２５ｂを押して第２スライド板２５を右方に移動させ、第２スライド板２５の第２折曲片２５ｃが第３レバー２２の一端側に形成した折曲片２２ａｂを軸２３を中心に押し上げるので、第３レバー２２の他端側と係合した第１スライド板２０が下方に移動するようになっている。
【００３３】
更に、第２スライド板２５の下方部位には、台形状の板バネ２９が固着されており、この板バネ２９はベース板１６に設けた係止部材３０の裏面に進入して係合している。そして、上記板バネ２９は、液晶パネル４０が開蓋してヒンジ４１の突出部４１ｂで第２スライド板２５を後方に移動した時に、この第２スライド板２５を後方位置で係止部材３０に係止させる機能を備えている。尚、第２スライド板２５を左方に戻すには、液晶パネル４０を閉蓋した時に液晶パネル４０の液晶パネル面４０ｂ側に突出形成した押圧片４０ｂ１｛図６（Ｂ），（Ｃ）｝で板バネ２９の先端を押せば第２スライド板２５の係止を解除でき、且つ、第２スライド板２５の第２折曲片２５ｃが押圧片４０ｂ１｛図６（Ｂ），（Ｃ）｝へのストッパになっている。
【００３４】
そして、ビューファインダ１０の引き出し動作に伴って第２レバー１７の一端に固着したピン１９で第１スライド板２０を下方に押し下げた時、もしくは、液晶パネル４０の開蓋動作に伴ってヒンジ４１の突出部４１ｂが第２スライド板２５を右方（後方）に移動させて、第３レバー２２を介して第１スライド板２０を下方に押し下げた時に、レンズカバー４が開蓋する。
【００３５】
従って、第１レバー１３と第２レバー１７は、ビューファインダ１０の引き出し動作に連動して位置変位する第１変位手段を構成している。また、第２スライド板２５は、液晶パネル４０の開蓋動作に連動して位置変位する第２変位部材を構成している。更に、レンズカバー４と常時係合している第１スライド板２０及びこの第１スライド板２０と係合している第３レバー２２は、上記第１変位手段もしくは上記第２変位手段の少なくとも一方と係合してレンズカバー４を開閉するレンズカバー・開閉リンク手段を構成している。
【００３６】
この際、第１変位手段の第２レバー１７は第１スライド板２０に接離自在であり、且つ、第２変位手段の第２スライド板２５は、第３レバー２２に接離自在であることから、第１，第２変位手段はレンズカバー４を開閉する第１スライド板２０に対して電気的なオア回路と同等な作用を果たし、ビューファインダ１０の引き出し動作，液晶パネル４０の開蓋動作の少なくとも一方の動作でレンズカバー４を開蓋できる。勿論、ビューファインダ１０及び液晶パネル４０が共に不使用の時には、レンズカバー４を捩じりバネ７の付勢力で閉じることができる。
【００３７】
ここで、上記構成によるビデオカメラのレンズカバー開閉機構の動作について図３乃至図７を用いて説明する。
【００３８】
まず、図３に示した如く、ビデオカメラ１の初期状態（不使用時）では、ビューファインダ１０がカメラ筐体３側に収納されており、且つ、ここでの図示を省略するものの液晶パネル４０が閉じている。
【００３９】
ここでは、ビューファインダ１０がカメラ筐体３の前方側に移動しているので、このビューファインダ１０の内部に固着したガイドピン１１が第１レバー１３の摺接面１３ａに沿って他端側（前方側）に移動しているので、第１レバー１３が軸１４を中心に図示反時計方向に回動し、この第１レバー１３に係合した第２レバー１７が軸１８を中心に図示時計方向に回動するので、第２レバー１７の他端側に固着したピン１９が図示上方に位置変位している。これにより、レンズカバー４と係合した第１スライド板２０が捩じりバネ７の付勢力によりベース板１６上を上方に移動できるので、レンズカバー４が捩じりバネ７の付勢力によって軸８を中心に時計方向に回動して閉蓋している。
【００４０】
一方、図３及び図６（Ａ），（Ｂ）を併用して説明すると、液晶パネル４０が閉蓋しているので、この液晶パネル４０を開閉自在に支持するヒンジ４１に突出形成した突出部４１ｂは第２スライド板２５の第１折曲片２５ｂから離間しており、これによって第２スライド板２５は引張バネ２８の付勢力により図示左方  （前方）に移動している。
【００４１】
図３に戻り、第１スライド板２０が上方に移動していると、この第１スライド板２０と係合した第３レバー２２が軸２３を中心に時計方向に回動するので、第３レバー２２の一端側に形成した折曲片２２ａが第２スライド板２５の第２折曲片２５ｃに接近した状態になる。
【００４２】
次に、図４に示した如く、ビデオカメラ１の使用時にビューファインダ１０をカメラ筐体３より後方に突出させて、ビューファインダ１０で光学的に表示された被写体像を覗く場合を説明する。尚、ここでも液晶パネル４０が閉じているものとする。
【００４３】
ここでは、ビューファインダ１０がカメラ筐体３の後方側に移動しているので、このビューファインダ１０の内部に固着したガイドピン１１が第１レバー１３の摺接面１３ａに沿って一端側（後方側）に移動しているので、第１レバー１３が軸１４を中心に図示時計方向に回動し、この第１レバー１３に係合した第２レバー１７が軸１８を中心に図示反時計方向に回動するので、第２レバー１７の他端側に固着したピン１９が図示下方に位置変位して、ピン１９で第１スライド板２０の当接面２０ａを下方に押す。これにより、レンズカバー４と係合した第１スライド板２０が捩じりバネ７の付勢力に抗してベース板１６上を下方に移動するので、レンズカバー４が捩じりバネ７の付勢力に抗して軸８を中心に反時計方向に回動して開蓋する。
【００４４】
一方、液晶パネル４０が閉蓋しているので、第２スライド板２５は引張バネ２８の付勢力により図示左方（前方）に移動している。
【００４５】
また、第１スライド板２０が下方に移動すると、この第１スライド板２０と係合した第３レバー２２が軸２３を中心に反時計方向に回動するので、第３レバー２２の一端側に形成した折曲片２２ａが第２スライド板２５の第２折曲片２５ｃから離間した状態になる。
【００４６】
次に、図５及び図６（Ｃ）に示した如く、ビデオカメラ１の使用時に液晶パネル４０を開蓋して液晶パネル面４０ｂに電子的に表示された被写体像を覗く場合を説明する。
【００４７】
ここでは、液晶パネル４０を開蓋させる動作に伴って、液晶パネル４０を開閉自在に支持するヒンジ４１に突出形成した突出部４１ｂが第２スライド板２５の第１折曲片２５ｂを引張バネ２８の付勢力に抗して図示右方（後方）側に押すので、第２スライド板２５の第２折曲片２５ｃも第３レバー２２の一端側に形成した折曲片２２ａを押し、第１スライド板２０と係合した第３レバー２２が軸２３を中心に反時計方向に回動する。これにより、レンズカバー４と係合した第１スライド板２０が捩じりバネ７の付勢力に抗してベース板１６上を下方に移動するので、レンズカバー４が捩じりバネ７の付勢力に抗して軸８を中心に反時計方向に回動して開蓋する。
【００４８】
そして、液晶パネル４０を略９０゜回動して開蓋が完了すると、第２スライド板２５に固着した台形状の板バネ２９とベース板１６に設けた係止部材３０とにより第２スライド板２５が後方位置で係止される。ここで、第２スライド板２５の係止を解除するには、前述したように液晶パネル４０を閉蓋した時に液晶パネル４０の液晶パネル面４０ｂ側に突出形成した押圧片４０ｂ１で板バネ２９の先端を押せば第２スライド板２５の係止を解除でき、且つ、第２スライド板２５の第２折曲片２５ｃが押圧片４０ｂ１へのストッパになっている。
【００４９】
尚、図５ではビューファインダ１０がカメラ筐体３側に収納されている状態を図示しているので、第１，第２レバー１３，１７は図３に示した状態と同様の位置を取るものの、第２レバー１７の他端側に固着したピン１９は第１スライド板２０の当接面２０ａから離間している。しかしながら、ビューファインダ１０をカメラ筐体３より後方に突出させても良いので、この場合には第１，第２レバー１３，１７が図４に示した状態と同じ位置になり、第２レバー１７の他端側に固着したピン１９は第１スライド板２０の当接面２０ａに当接する。
【００５０】
次に、図７（Ａ），（Ｂ）に示した如く、液晶パネル４０を開蓋した後、液晶パネル４０を支持するヒンジ４１の軸４１ａに対して略直角に取り付けた回転軸４２を中心に時計方向及び反時計方向に１回転させて、液晶パネル面４０ｂを手前側に露出させ、且つ、外装面４０ａをカメラ筐体３の側面３ｂに密着するように液晶パネル４０を閉蓋した状態では、第２スライド板２５に固着した台形状の板バネ２９とベース板１６に設けた係止部材３０とにより第２スライド板２５が後方位置で係止されたままの状態を維持しているので、これに伴ってレンズカバー４も開いたままの状態を維持している。即ち、この状態では、液晶パネル４０の液晶パネル面４０ｂ側に突出形成した押圧片４０ｂ１が手前側に露出するために、板バネ２９の先端を押すことずできず、第２スライド板２５が後方位置で係止されたままの状態を維持している。
【００５１】
【発明の効果】
以上詳述した本発明に係わるビデオカメラのレンズカバー開閉機構によると、ビューファインダをカメラ筐体より突出させる動作、もしくは、液晶パネルを開く動作の少なくとも一方の動作に連動して、レンズカバーを付勢手段に抗して開くことができるので、ビデオカメラの使用勝手が著しく向上する。
勿論、ビューファインダ及び液晶パネルが共に不使用の時には、レンズカバーを閉じて撮像レンズを被覆して保護しているので、使用者は安心してビデオカメラを携帯したり、又は保管できる。
【図面の簡単な説明】
【図１】本発明に係わるビデオカメラのレンズカバー開閉機構を採用したビデオカメラの外観を示した斜視図である。
【図２】本発明に係わるビデオカメラのレンズカバー開閉機構を一部分解して示した分解斜視図である。
【図３】本発明に係わるビデオカメラのレンズカバー開閉機構において、ビューファインダをカメラ筐体側に収納し、且つ、液晶パネルを閉じた初期状態を説明するための図である。
【図４】本発明に係わるビデオカメラのレンズカバー開閉機構において、ビューファインダをカメラ筐体より後方に突出させた状態を説明するための図である。
【図５】本発明に係わるビデオカメラのレンズカバー開閉機構において、液晶パネルを開いた状態を説明するための図である。
【図６】本発明に係わるビデオカメラのレンズカバー開閉機構において、液晶パネルをの開閉状態を説明するための図である。
【図７】本発明に係わるビデオカメラのレンズカバー開閉機構において、液晶パネルを開蓋した後、液晶パネル面を露出させた状態で液晶パネルを閉蓋した状態を説明するための図であり、（Ａ）は正面図，（Ｂ）は下面図である。
【符号の説明】
１…ビデオカメラ、
３…カメラ筐体、
４…レンズカバー、
６…撮像レンズ、
７…捩じりバネ、
１０…ビューファインダ、
１３…第１レバー、
１７…第２レバー、
１３，１７…第１変位手段、
２０…第１スライド板、
２２…第３レバー、
２０，２２…レンズカバー・開閉リンク手段
２５…第１変位手段（第２スライド板）、
４０…液晶パネル、４０ａ…外装面、４０ｂ…液晶パネル面。
【図１】
0003767761.tif 000002
【図２】
0003767761.tif 000003
【図３】
0003767761.tif 000004
【図４】
0003767761.tif 000005
【図５】
0003767761.tif 000006
【図６】
0003767761.tif 000007
【図７】
0003767761.tif 000008